(57)【要約】【課題】  待機時において低消費電力化を図り得る表示装置の駆動装置、表示装置、及び表示装置の駆動方法を提供する。【解決手段】  複数の走査信号線ＧＬに所定のタイミングで走査信号を出力する走査信号線駆動回路ＧＤと、複数のデータ信号線ＳＬに画像表示データ信号を出力するデータ信号線駆動回路ＳＤと、データ信号線駆動回路ＳＤに多階調データ信号ＤＡＴを供給する多階調表示データ信号生成回路２０と、データ信号線駆動回路ＳＤに２値データ信号ＢＩＮＤＡＴを供給する２値表示データ信号生成回路３０と、多階調表示データ信号生成回路２０からデータ信号線駆動回路ＳＤへの出力と、２値表示データ信号生成回路３０からデータ信号線駆動回路ＳＤへの出力とを切り替えるセレクタ１０とが設けられている。【選択図】  図１
2005227627.tif 000002
【特許請求の範囲】
【請求項１】
複数のデータ信号線と、複数の走査信号線と、該複数のデータ信号線と該複数の走査信号線との交差部分にそれぞれ形成される複数の画素とを有し、各走査信号線から出力される走査信号に同期して各データ信号線を通して各画素に画像表示データ信号が出力される表示部を備えた表示装置の駆動装置において、
上記複数の走査信号線に所定のタイミングで走査信号を出力する走査信号線駆動回路と、
上記複数のデータ信号線に画像表示データ信号を出力するデータ信号線駆動回路と、
上記データ信号線駆動回路に多階調画像表示データ信号を供給する多階調表示データ信号生成回路と、
上記データ信号線駆動回路に２値画像表示データ信号を供給する２値表示データ信号生成回路と、
上記多階調表示データ信号生成回路からデータ信号線駆動回路への出力と、２値表示データ信号生成回路からデータ信号線駆動回路への出力とを切り替える切替手段とが設けられていることを特徴とする表示装置の駆動装置。
【請求項２】
前記切替手段は、前記多階調画像表示データ信号による非表示期間内に２値画像表示データ信号を供給するように各出力を切り替えることを特徴とする請求項１記載の表示装置の駆動装置。
【請求項３】
前記２値表示データ信号生成回路は、前記多階調画像表示データ信号による非表示期間内に画素に出力するための一定電圧からなる非表示期間用データ書込電圧を生成すると共に、
前記切替手段は、上記多階調画像表示データ信号による非表示期間内に非表示期間用データ書込電圧を供給するように各出力を切り替えることを特徴とする請求項１又は２記載の表示装置の駆動装置。
【請求項４】
前記２値画像表示データ信号又は非表示期間用データ書込電圧を前記複数のデータ信号線に出力するときには、多階調画像表示データ信号よりも遅い周波数にて出力させる制御手段が設けられていることを特徴とする請求項１、２又は３記載の表示装置の駆動装置。
【請求項５】
前記２値表示データ信号生成回路にて生成される非表示期間用データ書込電圧は、前記多階調表示データ信号生成回路から供給される多階調画像表示データ信号が前記画素に十分に印加されるようにするための予備充電電圧に等しいことを特徴とする請求項３記載の表示装置の駆動装置。
【請求項６】
前記２値表示データ信号生成回路にて生成される２値画像表示データ信号の電圧又は非表示期間用データ書込電圧は、白表示時に印加する電圧と同電位であることを特徴とする請求項２又は３記載の表示装置の駆動装置。
【請求項７】
前記２値表示データ信号生成回路にて生成される２値画像表示データ信号の電圧又は非表示期間用データ書込電圧は、黒表示時に印加する電圧と同電位であることを特徴とする請求項２又は３記載の表示装置の駆動装置。
【請求項８】
前記２値表示データ信号生成回路にて生成される非表示期間用データ書込電圧の電圧は、一定の均一色表示時に印加する電圧と同電位であることを特徴とする請求項３記載の表示装置の駆動装置。
【請求項９】
前記データ信号線駆動回路が多階調画像表示データ信号又は２値画像表示データ信号を前記複数のデータ信号線に出力するときに、多階調画像表示データ信号を出力するときの周波数と２値画像表示データ信号又は一定の均一色表示時に印加する電圧信号を出力するときの周波数とが異なっていることを特徴とする請求項１〜８のいずれか１項に記載の表示装置の駆動装置。
【請求項１０】
前記多階調表示データ信号生成回路と２値表示データ信号生成回路と切替手段とは、一つの集積回路チップに含まれていることを特徴とする請求項１〜９のいずれか１項に記載の表示装置の駆動装置。
【請求項１１】
前記多階調表示データ信号生成回路と２値表示データ信号生成回路と切替手段と制御手段とは、一つの集積回路チップに含まれていることを特徴とする請求項４記載の表示装置の駆動装置。
【請求項１２】
前記切替手段からデータ信号線駆動回路までの配線は、多階調表示データ信号生成回路からの供給配線と２値表示データ信号生成回路からの供給配線とが共通配線にてなっていることを特徴とする請求項１〜１１のいずれか１項に記載の表示装置の駆動装置。
【請求項１３】
前記請求項１〜１２のいずれか１項に記載の表示装置の駆動装置を備えたことを特徴とする表示装置。
【請求項１４】
複数のデータ信号線と、複数の走査信号線と、該複数のデータ信号線と該複数の走査信号線との交差部分にそれぞれ形成される複数の画素とを有し、各走査信号線から出力される走査信号に同期して各データ信号線を通して各画素に画像表示データ信号が出力される表示部を備えた表示装置の駆動方法において、
上記複数の走査信号線に所定のタイミングで走査信号を出力する走査信号線駆動回路と、
上記複数のデータ信号線に画像表示データ信号を出力するデータ信号線駆動回路と、
上記データ信号線駆動回路に多階調画像表示データ信号を供給する多階調表示データ信号生成回路と、
上記データ信号線駆動回路に２値画像表示データ信号を供給する２値表示データ信号生成回路とを備え、
上記多階調表示データ信号生成回路からの多階調画像表示データ信号と、２値表示データ信号生成回路からの２値画像表示データ信号とを切り替えてデータ信号線駆動回路へ供給することを特徴とする表示装置の駆動方法。
【請求項１５】
前記多階調画像表示データ信号による非表示期間内に２値画像表示データ信号を供給するように各出力を切り替えることを特徴とする請求項１４記載の表示装置の駆動方法。
【請求項１６】
前記２値表示データ信号生成回路にて、一定電圧からなる非表示期間用データ書込電圧をさらに生成し、
前記多階調画像表示データ信号による非表示期間内に、上記非表示期間用データ書込電圧も供給し得るように、併せて切り替えることを特徴とする請求項１５記載の表示装置の駆動方法。
【請求項１７】
前記２値画像表示データ信号又は非表示期間用データ書込電圧を前記複数のデータ信号線に出力するときには、多階調画像表示データ信号よりも遅い周波数にて出力することを特徴とする請求項１５又は１６記載の表示装置の駆動方法。
【発明の詳細な説明】
【技術分野】
【０００１】
本発明は、液晶表示装置等の表示装置の駆動装置、表示装置、及び表示装置の駆動方法に関するものである。
【背景技術】
【０００２】
従来の表示装置の一つとして、アクティブマトリックス駆動方式の液晶表示装置が知られている。ところで、従来の画像表示装置１００においては、図１１に示すように、データ信号線駆動回路１０１や走査信号線駆動回路１０２はそれぞれ１組ずつ配置されているのが一般的である。したがって、表示する映像のフォーマットは１種類に限定されることが多い。複数のフォーマットの映像を表示可能な画像表示装置も存在するが、それは外部回路で表示装置に入力する制御信号や映像信号を変換しているに過ぎず、表示装置自体の駆動は殆ど同じである。すなわち、どのようなフォーマットの映像を表示する場合においても、同一のデータ信号線駆動回路及び走査信号線駆動回路が動作するので消費電力は殆ど変わらない。例えば、同図に示すように、多階調データと２値データとは個別に外部回路である多階調データ格納部１０３と２値データ格納部１０４とで作成されるが、いずれも図示しないデジタルアナログコンバータ（ＤＡＣ）にてデジタルデータをアナログデータに変換してデータ信号線駆動回路１０１を介して出力されるようになっている。
【０００３】
ところで、近年、携帯機器の使用可能長時間化の要求に伴い、表示装置に対しても低消費電力化の要求が強くなっている。ここで、携帯機器においては、常に使用状態にあるとは限らず、その大部分の時間が待機状態であることが多い。また、使用時と待機時とでは、表示する映像やフォーマットが異なることが多い。
【０００４】
例えば、待機時には、メニュー画面や時刻等が表示できればよく、精細度や表示色数等は低くてもよい場合がある。むしろ、低消費電力化による使用時間の長時間化が重要である。一方、使用時には、大量の文章や図形、写真等の画像を表示することが多く、高品位の表示が求められる。このときには、携帯機器の他の部分、例えば、通信モジュールや入力インターフェイス部、演算処理部等では消費電力が大きくなるので、表示モジュールでの消費電力の比率が小さくなる。したがって、使用時における低消費電力化への要求は待機時ほど強くないのが一般的である。
【０００５】
そこで、この問題を解決するために、例えば、特許文献１に開示された画像表示装置２００では、図１２に示すように、使用時には多階調のデータ信号を扱う第１データ信号線駆動回路（ＳＤ１）２０１ａと走査信号線駆動回路（ＧＤ）２０２とによって表示部２０３を表示する一方、待機時には、２値データ信号ＢＩＮＤＡＴを扱う第２データ信号線駆動回路（ＳＤ２）２０１ｂと上記走査信号線駆動回路（ＧＤ）２０２とによって表示部２０３を表示するようになっている。いわゆるマルチドライバ方式である。
【０００６】
これにより、使用時には、多階調にて大量の文章や図形、写真等の画像を表示し、高品位の表示を行う一方、待機時には、例えば、黒白等の２値のデータ信号にて低消費電力によって表示ができるものとなっている。
【特許文献１】特開２００２−２０２７４７号公報（平成１４年７月１９日公開）
【発明の開示】
【発明が解決しようとする課題】
【０００７】
ところで、上記従来の液晶表示装置の駆動方法では、多階調用の第１データ信号線駆動回路（ＳＤ１）２０１ａと２値用の第２データ信号線駆動回路（ＳＤ２）２０１ｂとの２種類のデータ信号線駆動回路を使用する。
【０００８】
ここで、多階調用の第１データ信号線駆動回路（ＳＤ１）２０１ａ及び２値用の第２データ信号線駆動回路（ＳＤ２）２０１ｂは、シフトレジスタＳＲ１、シフトレジスタＳＲ１及びラッチ回路Ｌａｔｃｈ等を備えており、これらの回路は、フリップフロップにおいて多数のトランジスタを備えているが、これらトランジスタは漏れ電流が発生する傾向がある。
【０００９】
そのため、トランジスタが増加すると漏れ電流が多くなることから、駆動回路を多くすればするほど、各駆動回路のトランジスタも増加し、漏れ電流が多くなり、引いては液晶表示装置の消費電力が大きくなるという問題点を有している。
【００１０】
本発明は、上記従来の問題点に鑑みなされたものであって、その目的は、待機時において低消費電力化を図り得る表示装置の駆動装置、表示装置、及び表示装置の駆動方法を提供することにある。
【課題を解決するための手段】
【００１１】
本発明の表示装置の駆動装置は、上記課題を解決するために、複数のデータ信号線と、複数の走査信号線と、該複数のデータ信号線と該複数の走査信号線との交差部分にそれぞれ形成される複数の画素とを有し、各走査信号線から出力される走査信号に同期して各データ信号線を通して各画素に画像表示データ信号が出力される表示部を備えた表示装置の駆動装置において、上記複数の走査信号線に所定のタイミングで走査信号を出力する走査信号線駆動回路と、上記複数のデータ信号線に画像表示データ信号を出力するデータ信号線駆動回路と、上記データ信号線駆動回路に多階調画像表示データ信号を供給する多階調表示データ信号生成回路と、上記データ信号線駆動回路に２値画像表示データ信号を供給する２値表示データ信号生成回路と、上記多階調表示データ信号生成回路からデータ信号線駆動回路への出力と、２値表示データ信号生成回路からデータ信号線駆動回路への出力とを切り替える切替手段とが設けられていることを特徴としている。
【００１２】
また、本発明の表示装置の駆動方法は、上記課題を解決するために、複数のデータ信号線と、複数の走査信号線と、該複数のデータ信号線と該複数の走査信号線との交差部分にそれぞれ形成される複数の画素とを有し、各走査信号線から出力される走査信号に同期して各データ信号線を通して各画素に画像表示データ信号が出力される表示部を備えた表示装置の駆動方法において、上記複数の走査信号線に所定のタイミングで走査信号を出力する走査信号線駆動回路と、上記複数のデータ信号線に画像表示データ信号を出力するデータ信号線駆動回路と、上記データ信号線駆動回路に多階調画像表示データ信号を供給する多階調表示データ信号生成回路と、上記データ信号線駆動回路に２値画像表示データ信号を供給する２値表示データ信号生成回路とを備え、上記多階調表示データ信号生成回路からの多階調画像表示データ信号と、２値表示データ信号生成回路からの２値画像表示データ信号とを切り替えてデータ信号線駆動回路へ供給することを特徴としている。
【００１３】
ところで、従来、多階調画像表示データ信号を出力しない非表示期間内つまり待機時に２値画像表示データ信号を出力するために、多階調画像表示データ信号用のデータ信号線駆動回路とは異なる別の２値画像表示データ信号用のデータ信号線駆動回路を設けていた。
【００１４】
このため、データ信号線駆動回路には、フリップフロップ回路においてトランジスタに漏れ電流が発生するという問題があり、電力を多く使用することになっていた。
【００１５】
しかし、上記の発明によれば、多階調表示データ信号生成回路からデータ信号線駆動回路への多階調画像表示データ信号と、２値表示データ信号生成回路からデータ信号線駆動回路への２値画像表示データ信号とを切替手段によって切り替える。これにより、非表示期間内に出力するための２値画像表示データ信号用のデータ信号線駆動回路を、多階調画像表示データ信号用のデータ信号線駆動回路と共用することができ、１つのデータ信号線駆動回路に含まれる多数のトランジスタの漏れ電流に起因する消費電力を低減できることになる。
【００１６】
したがって、待機時において低消費電力化を図り得る表示装置の駆動装置、及び表示装置の駆動方法を提供することができる。
【００１７】
また、本発明の表示装置の駆動装置は、上記記載の表示装置の駆動装置において、前記切替手段は、前記多階調画像表示データ信号による非表示期間内に２値画像表示データ信号を供給するように各出力を切り替えることを特徴としている。
【００１８】
また、本発明の表示装置の駆動方法は、上記記載の表示装置の駆動方法において、前記多階調画像表示データ信号による非表示期間内に２値画像表示データ信号を供給するように各出力を切り替えることを特徴としている。
【００１９】
上記の発明によれば、切替手段は、多階調画像表示データ信号による非表示期間内に２値画像表示データ信号を供給するように各出力を切り替える。このため、確実に、待機時において低消費電力化を図り得る表示装置の駆動装置、及び表示装置の駆動方法を提供することができる。
【００２０】
また、本発明の表示装置の駆動装置は、上記記載の表示装置の駆動装置において、前記２値表示データ信号生成回路は、前記多階調画像表示データ信号による非表示期間内に画素に出力するための一定電圧からなる非表示期間用データ書込電圧を生成すると共に、前記切替手段は、上記多階調画像表示データ信号による非表示期間内に非表示期間用データ書込電圧を供給するように各出力を切り替えることを特徴としている。
【００２１】
また、本発明の表示装置の駆動方法は、上記記載の表示装置の駆動方法において、前記２値表示データ信号生成回路にて、一定電圧からなる非表示期間用データ書込電圧をさらに生成し、前記多階調画像表示データ信号による非表示期間内に、上記非表示期間用データ書込電圧も供給し得るように、併せて切り替えることを特徴としている。
【００２２】
上記の発明によれば、２値表示データ信号生成回路は、多階調画像表示データ信号による非表示期間内に画素に出力するための一定電圧からなる非表示期間用データ書込電圧を生成する。また、切替手段は、多階調画像表示データ信号による非表示期間内に非表示期間用データ書込電圧を供給するように各出力を切り替える。
【００２３】
したがって、多階調画像表示データ信号による非表示期間内である待機時に、例えば、白黒等の２値画像表示用の電圧又は一定の均一色表示時に印加する電圧、いわゆるベタ画像表示用電圧を印加することができる。
【００２４】
また、本発明の表示装置の駆動方法は、上記記載の表示装置の駆動方法において、前記２値画像表示データ信号又は非表示期間用データ書込電圧を前記複数のデータ信号線に出力するときには、多階調画像表示データ信号よりも遅い周波数にて出力させる制御手段が設けられていることを特徴としている。
【００２５】
すなわち、多階調画像表示データ信号の使用時には画像変化が激しいので、速い周波数で出力する必要がある。しかし、多階調画像表示データ信号による非表示期間内である待機時における待機画面の変化は殆どない。このとき、例えば、画素の電圧が保持される例えば液晶表示装置等の表示装置においては、その画素の保持電圧が自然消滅する前に再度電圧を印加すればよいので、２値画像表示データ信号又は非表示期間用データ書込電圧を散発的に出力すればよい。
【００２６】
そこで、本発明では、制御手段により、２値画像表示データ信号又は非表示期間用データ書込電圧を複数のデータ信号線に出力するときには、多階調画像表示データ信号よりも遅い周波数にて出力させる。
【００２７】
この結果、待機時においてさらに低消費電力化を図り得る表示装置の駆動装置、及び表示装置の駆動方法を提供することができる。
【００２８】
また、本発明の表示装置の駆動装置は、上記記載の表示装置の駆動装置において、前記２値表示データ信号生成回路にて生成される非表示期間用データ書込電圧は、前記多階調表示データ信号生成回路から供給される多階調画像表示データ信号が前記画素に十分に印加されるようにするための予備充電電圧に等しいことを特徴としている。
【００２９】
上記の発明によれば、２値表示データ信号生成回路にて生成される非表示期間用データ書込電圧は、多階調表示データ信号生成回路から供給される多階調画像表示データ信号が前記画素に十分に印加されるようにするための予備充電電圧に等しい。
【００３０】
したがって、非表示期間用データ書込電圧を、予備充電電圧として使用することができる。
【００３１】
また、本発明の表示装置の駆動装置は、上記記載の表示装置の駆動装置において、前記２値表示データ信号生成回路にて生成される２値画像表示データ信号の電圧又は非表示期間用データ書込電圧は、白表示時に印加する電圧と同電位であることを特徴としている。
【００３２】
上記の発明によれば、２値表示データ信号生成回路にて生成される２値画像表示データ信号の電圧又は非表示期間用データ書込電圧は、白表示時に印加する電圧と同電位である。したがって、ノーマリブラックモード時には、白表示が可能になる電圧を印加することにより白表示が可能となり、ノーマリホワイトモード時には、０電位又は略０電位に近い電圧を印加することにより白表示が可能となる。
【００３３】
また、本発明の表示装置の駆動装置は、上記記載の表示装置の駆動装置において、前記２値表示データ信号生成回路にて生成される２値画像表示データ信号の電圧又は非表示期間用データ書込電圧は、黒表示時に印加する電圧と同電位であることを特徴としている。
【００３４】
上記の発明によれば、２値表示データ信号生成回路にて生成される２値画像表示データ信号の電圧又は非表示期間用データ書込電圧は、黒表示時に印加する電圧と同電位である。したがって、ノーマリホワイトモード時には、黒表示が可能になる電圧を印加することにより黒表示が可能となり、ノーマリブラックモード時には、０電位又は略０電位に近い電圧を印加することにより黒表示が可能となる。
【００３５】
また、本発明の表示装置の駆動装置は、上記記載の表示装置の駆動装置において、前記２値表示データ信号生成回路にて生成される非表示期間用データ書込電圧の電圧は、一定の均一色表示時に印加する電圧と同電位であることを特徴としている。
【００３６】
上記の発明によれば、２値表示データ信号生成回路にて生成される非表示期間用データ書込電圧の電圧は、一定の均一色表示時に印加する電圧と同電位であるので、例えば、白黒ではない中間色のいわゆるベタ画像表示を行うことができる。
【００３７】
また、本発明の表示装置の駆動装置は、上記記載の表示装置の駆動装置において、前記データ信号線駆動回路が多階調画像表示データ信号又は２値画像表示データ信号を前記複数のデータ信号線に出力するときに、多階調画像表示データ信号を出力するときの周波数と２値画像表示データ信号又は一定の均一色表示時に印加する電圧信号を出力するときの周波数とが異なっていることを特徴としている。
【００３８】
上記の発明によれば、データ信号線駆動回路が多階調画像表示データ信号又は２値画像表示データ信号を前記複数のデータ信号線に出力するときに、多階調画像表示データ信号を出力するときの周波数と２値画像表示データ信号又は一定の均一色表示時に印加する電圧信号を出力するときの周波数とが異なっているので、前述のように、待機時には、２値画像表示データ信号又は一定の均一色表示時に印加する電圧信号の周波数を遅くすることができる。これにより、待機時の消費電力低減を図ることができる。
【００３９】
また、本発明の表示装置の駆動装置は、上記記載の表示装置の駆動装置において、前記多階調表示データ信号生成回路と２値表示データ信号生成回路と切替手段とは、一つの集積回路チップに含まれていることを特徴としている。
【００４０】
上記の発明によれば、前記多階調表示データ信号生成回路と２値表示データ信号生成回路と切替手段とは、一つの集積回路チップに含まれているので、多階調表示データ信号生成回路と２値表示データ信号生成回路と切替手段とをコンパクトに収納することができる。また、集積回路の出力端子数が低減するので、チップ面積の縮小化及びコストダウンが図れる。
【００４１】
また、本発明の表示装置の駆動装置は、上記記載の表示装置の駆動装置において、前記多階調表示データ信号生成回路と２値表示データ信号生成回路と切替手段と制御手段とは、一つの集積回路チップに含まれていることを特徴としている。
【００４２】
上記の発明によれば、多階調表示データ信号生成回路と２値表示データ信号生成回路と切替手段と制御手段とは、一つの集積回路チップに含まれているので、多階調表示データ信号生成回路と２値表示データ信号生成回路と切替手段と制御手段とをコンパクトに収納することができる。また、集積回路の出力端子数が低減するので、チップ面積の縮小化及びコストダウンが図れる。
【００４３】
また、本発明の表示装置の駆動装置は、上記記載の表示装置の駆動装置において、前記切替手段からデータ信号線駆動回路までの配線は、多階調表示データ信号生成回路からの供給配線と２値表示データ信号生成回路からの供給配線とが共通配線にてなっていることを特徴としている。
【００４４】
上記の発明によれば、切替手段からデータ信号線駆動回路までの配線は、多階調表示データ信号生成回路からの供給配線と２値表示データ信号生成回路からの供給配線とが共通配線にてなっているので、切替手段からデータ信号線駆動回路までの配線を簡潔にすることができる。
【００４５】
また、本発明の表示装置は、上記課題を解決するために、上記記載の表示装置の駆動装置を備えたことを特徴としている。
【００４６】
上記の発明によれば、表示装置は、上記記載の表示装置の駆動装置を備えているので、待機時において低消費電力化を図り得る表示装置を提供することができる。
【発明の効果】
【００４７】
本発明の表示装置の駆動装置、表示装置、及び表示装置の駆動方法では、多階調表示データ信号生成回路からデータ信号線駆動回路への多階調画像表示データ信号と、２値表示データ信号生成回路からデータ信号線駆動回路への２値画像表示データ信号とを切替手段によって切り替える。これにより、非表示期間内に出力するためのデータ信号線駆動回路を、多階調画像表示データ信号用のデータ信号線駆動回路と共用することができ、１つのデータ信号線駆動回路に含まれる多数のトランジスタの漏れ電流に起因する消費電力を低減できることになる。
【００４８】
したがって、待機時において低消費電力化を図り得る表示装置の駆動装置、及び表示装置の駆動方法を提供することができるという効果を奏する。
【発明を実施するための最良の形態】
【００４９】
〔実施の形態１〕
本発明の一実施形態について図１ないし図６に基づいて説明すれば、以下の通りである。
【００５０】
本実施の形態の表示装置としての液晶表示装置１は、図１に示すように、マトリクス状に配置された複数の画素２…と、これら画素２の各列に配置された複数のデータ信号線ＳＬ及び画素２…の行に対応して配置された複数の走査信号線ＧＬとを有し、各走査信号線ＧＬから出力される走査信号に同期して各データ信号線ＳＬを通して各画素２…に画像表示データ信号が出力される表示部としての表示部３を有している。
【００５１】
上記画素２は、図２に示すように、スイッチング素子である電界効果型のトランジスタからなるスイッチ素子ＳＷと、画素容量（液晶容量ＣＬ及び必要に応じて付加される補助容量ＣＳよりなる）とによって構成される。上記スイッチ素子ＳＷのソースにはデータ信号線ＳＬが接続され、スイッチ素子ＳＷのドレインには画素容量の一方の電極が接続され、スイッチ素子ＳＷのゲートには走査信号線ＧＬが接続されている。また、画素容量の他方の電極は、全画素共通の共通電極線に接続されている。そして、各液晶容量ＣＬに印加される画像表示信号である電圧により、液晶の透過率又は反射率が変調され、表示に共される。
【００５２】
本実施の形態では、上記表示部３の画素２…を駆動するために、図１に示すように、表示部３の例えば左側に走査信号線駆動回路ＧＤが設けられ、表示部３の例えば上側にデータ信号線駆動回路ＳＤが設けられている。なお、これら、走査信号線駆動回路ＧＤ及びデータ信号線駆動回路ＳＤの位置は、必ずしもこれに限らず、上下左右が入れ替わってもよいが、これら走査信号線駆動回路ＧＤ及びデータ信号線駆動回路ＳＤは、各１個ずつ設けられている。
【００５３】
上記走査信号線駆動回路ＧＤは、クロック信号ＧＣＫ等のタイミング信号に同期して、複数の走査信号線ＧＬに走査信号を出力する。また、データ信号線駆動回路ＳＤは、クロック信号ＳＣＫ等のタイミング信号に同期して入力された多階調画像表示データ信号ＤＡＴ（以下、単に「多階調データ信号ＤＡＴ」という）、又は２値画像表示データ信号ＢＩＮＤＡＴ（以下、単に「２値データ信号ＢＩＮＤＡＴ」という）をサンプリングし、必要に応じて増幅して、各データ信号線ＳＬに書きこむ働きをする。
【００５４】
上記クロック信号ＧＣＫ・ＳＣＫ等の制御信号は、制御信号回路４から供給されるようになっている。
【００５５】
ここで、本実施の形態では、上記多階調データ信号ＤＡＴと２値データ信号ＢＩＮＤＡＴとは、切替手段としてのセレクタ１０によって切り替えられるようになっている。したがって、多階調データ信号ＤＡＴは、多階調表示データ信号生成回路２０によって作成される一方、２値データ信号ＢＩＮＤＡＴは、２値表示データ信号生成回路３０によって作成されるようになっている。
【００５６】
上記セレクタ１０と多階調表示データ信号生成回路２０と２値表示データ信号生成回路３０とは、図３に示すように、一つの集積回路チップ５に搭載されている。なお、必ずしもこれに限らず、さらに、制御信号回路４を含む構成としてもよい。
【００５７】
同図に示すように、多階調表示データ信号生成回路２０は、ＤＡＣ（Digital-to-Analog Converter:Ｄ／Ａ変換器）２１とアンプ２２等によって構成され、例えば、２５６階調のデジタルの多階調データＤＩＧＤＡＴＡがＤＡＣ２１によってアナログ信号に変換され、アンプ２２にて増幅されて上記多階調データ信号ＤＡＴとしてセレクタ１０に供給される。
【００５８】
一方、２値表示データ信号生成回路３０は、例えば、一方に電圧３．３Ｖ、他方に電圧０Ｖの端子を切り替える切替スイッチ３１が設けられており、電圧３．３Ｖと電圧０Ｖとが２値切替信号ＢＩＮＤＡＴＡによって切り替えられるようになっている。これによって、２値表示データ信号生成回路３０からは、２値データ信号ＢＩＮＤＡＴがセレクタ１０に出力されるようになっている。
【００５９】
この電圧値３．３Ｖは、白表示時又は黒表示時に印加する電圧と同電位となっており、これによって、２値の一方を表示することができる。
【００６０】
また、セレクタ１０は、第１切替スイッチ１１を有しており、多階調データ信号ＤＡＴと２値データ信号ＢＩＮＤＡＴとがセレクト信号ＭＯＤＥＳＥＬによって切り替えられるようになっている。このセレクト信号ＭＯＤＥＳＥＬは、上記制御信号回路４から出力されるものとなっている。
【００６１】
これにより、セレクタ１０にて選択された多階調データ信号ＤＡＴと２値データ信号ＢＩＮＤＡＴとのいずれかがデータ信号線駆動回路ＳＤに供給されるようになっている。
【００６２】
したがって、液晶表示装置１の使用状態においては多階調データ信号ＤＡＴを表示部３の画素２に出力する一方、待機時には２値データ信号ＢＩＮＤＡＴを表示部３の画素２に出力するようになっている。
【００６３】
なお、上記の走査信号線駆動回路ＧＤ、データ信号線駆動回路ＳＤ、制御信号回路４、セレクタ１０、多階調表示データ信号生成回路２０及び２値表示データ信号生成回路３０からなる駆動装置６は、本発明の駆動装置を構成している。
【００６４】
上記構成の液晶表示装置１において、セレクタ１０にて切り替え選択された多階調データ信号ＤＡＴ又は２値データ信号ＢＩＮＤＡＴをデータ信号線ＳＬに書き込む方式について述べる。データ信号線ＳＬの駆動方法としては、点順次駆動方法と線順次駆動方法とがある。
【００６５】
点順次駆動方式では、例えば、図４に示す構成のデータ信号線駆動回路ＳＤを使用する。点順次駆動方式では、同図に示すように、映像信号線（ＤＡＴＬＩＮＥとする）に入力された多階調データ信号ＤＡＴ又は２値データ信号ＢＩＮＤＡＴを、複数のフリップフロップ回路ＦＦからなる前記シフトレジスタＳＲの各ラッチ段の出力信号Ｎ（すなわち、Ｎ１、Ｎ２…）に同期させてサンプリング回路ＳＡＭＰとしてのアナログスイッチＡＳＷを開閉することにより、データ信号線ＳＬ（すなわちＳＬ１、ＳＬ２、…）に書きこむ。
【００６６】
ここで、同図の構成では、隣接する２個のフリップフロップ回路ＦＦにおける出力信号Ｎの重なりパルスからサンプリング信号Ｓ、ＳＢ（すなわちＳ１、Ｓ２、…、Ｓ１Ｂ、Ｓ２Ｂ、…）を生成しており、サンプリング信号の立ち下り（終端）のタイミングにおける多階調データ信号ＤＡＴ又は２値データ信号ＢＩＮＤＡＴがデータ信号線ＳＬに書きこまれることになる。
【００６７】
一方、線順次方式のデータ信号線駆動回路は、図５に示す構成のものが使用される。線順次駆動方式では、同図に示すように、多階調データ信号ＤＡＴ又は２値データ信号ＢＩＮＤＡＴを、複数のフリップフロップ回路ＦＦからなる前記シフトレジスタＳＲの各ラッチ段の出力信号Ｎに同期させてサンプリングのためのアナログスイッチＡＳＷを開閉することにより取り込んだ後、転送指示信号ＴＦＧにて１水平走査期間分の信号を同時に次段に転送し、アンプＡＭを介して、データ信号線ＳＬに書きこむ。
【００６８】
一方、走査信号線駆動回路ＧＤは、図６に示すように、クロック信号ＧＣＫに同期して転送されるパルス信号とパルス幅を規定する信号ＧＥＮとの積（ＡＮＤ）信号により走査信号として走査信号線ＧＬ（すなわちＧＬ１、ＧＬ２、…）に出力する。この走査信号により多階調データ信号ＤＡＴ又は２値データ信号ＢＩＮＤＡＴの画素２…への書き込み及び保持を制御する。
【００６９】
このように、本実施の形態の液晶表示装置１の駆動装置６及び液晶表示装置１の駆動方法では、多階調表示データ信号生成回路２０からデータ信号線駆動回路ＳＤへの多階調データ信号ＤＡＴと、２値表示データ信号生成回路３０からデータ信号線駆動回路ＳＤへの２値データ信号ＢＩＮＤＡＴとをセレクタ１０によって切り替える。これにより、非表示期間内に出力するための２値データ信号ＢＩＮＤＡＴのためのデータ信号線駆動回路ＳＤを、多階調データ信号ＤＡＴのためのデータ信号線駆動回路ＳＤと共用することができ、１つのデータ信号線駆動回路ＳＤに含まれる多数のトランジスタの漏れ電流に起因する消費電力を低減できることになる。
【００７０】
したがって、待機時において低消費電力化を図り得る液晶表示装置１の駆動装置６、及び液晶表示装置１の駆動方法を提供することができる。
【００７１】
また、本実施の形態の液晶表示装置１の駆動装置６及び液晶表示装置１の駆動方法では、セレクタ１０は、多階調データ信号ＤＡＴによる非表示期間内に２値データ信号ＢＩＮＤＡＴを供給するように各出力を切り替える。このため、確実に、待機時において低消費電力化を図り得る液晶表示装置１の駆動装置６及び液晶表示装置１の駆動方法を提供することができる。
【００７２】
また、本実施の形態の液晶表示装置１の駆動装置６及び液晶表示装置１の駆動方法では、２値表示データ信号生成回路３０にて生成される２値データ信号ＢＩＮＤＡＴの電圧は、白表示時又は黒表示時に印加する電圧と同電位であるので、２値の一方を表示することができる。
【００７３】
また、本実施の形態の液晶表示装置１の駆動装置６及び液晶表示装置１の駆動方法では、多階調表示データ信号生成回路２０と２値表示データ信号生成回路３０とセレクタ１０とは、一つの集積回路チップ５に含まれているので、多階調表示データ信号生成回路２０と２値表示データ信号生成回路３０とセレクタ１０とをコンパクトに収納することができる。また、集積回路の出力端子数が低減するので、チップ面積の縮小化及びコストダウンが図れる。
【００７４】
また、本実施の形態の液晶表示装置１の駆動装置６及び液晶表示装置１の駆動方法では、多階調表示データ信号生成回路２０と２値表示データ信号生成回路３０とセレクタ１０と制御信号回路４とを、一つの集積回路チップ５に含めることが可能である。これにょり、多階調表示データ信号生成回路２０と２値表示データ信号生成回路３０とセレクタ１０と制御信号回路４とをコンパクトに収納することができる。また、集積回路の出力端子数が低減するので、チップ面積の縮小化及びコストダウンが図れる。
【００７５】
また、本実施の形態の液晶表示装置１の駆動装置６及び液晶表示装置１の駆動方法では、セレクタ１０からデータ信号線駆動回路ＳＤまでの配線は、多階調表示データ信号生成回路２０からの供給配線と２値表示データ信号生成回路３０からの供給配線とが共通配線７にてなっているので、セレクタ１０からデータ信号線駆動回路ＳＤまでの配線を簡潔にすることができる。
【００７６】
また、本実施の形態の液晶表示装置１は、上記の駆動装置６を備えているので、待機時において低消費電力化を図り得る液晶表示装置１を提供することができる。
【００７７】
〔実施の形態２〕
本発明の他の実施の形態について図７及び図８に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００７８】
前記実施の形態１の液晶表示装置１では、多階調データ信号ＤＡＴの非表示期間である待機時に例えば白又は黒の２値の表示にて行っていた。
【００７９】
本実施の形態では、多階調データ信号ＤＡＴの非表示期間である待機時における白若しくは黒だけではなく、一定の均一色表示時に印加する電圧、つまり画素２へのベタ画像表示の電圧、又は多階調データ信号ＤＡＴを表示するための予備充電を行う機能を有するものとなっている。
【００８０】
すなわち、本実施の形態の２値表示データ信号生成回路３０ａは、図７に示すように、電圧３．３Ｖだけでなく電圧１．５Ｖを供給することができるようになっている。そして、電圧３．３Ｖと電圧１．５Ｖとの切り替えは、前記制御信号回路４からの図示しない信号にて切替スイッチ３１を操作させることにより行われるようになっている。
【００８１】
ここで、上記電圧１．５Ｖは、多階調データ信号ＤＡＴの非表示期間である待機時において、一定の均一色表示のための電圧印加つまり画素２へのベタ画像表示、又は多階調データ信号の非表示期間に予備充電を行うために用いられるものであり、非表示期間用データ書込信号ＰＶＩとして供給される。したがって、電圧値１．５Ｖは、予備充電電圧、又はある一定のベタ表示時に印加する電圧と同電位となっている。
【００８２】
ただし、電圧値１．５Ｖは、必ずしもこれに限らず、黒表示時に印加する電圧と同電位である、例えば３．３Ｖ（ノーマリホワイトの場合）又は０Ｖ（ノーマリブラックの場合）とすることができると共に、白表示時に印加する電圧と同電位である、例えば０Ｖ（ノーマリホワイトの場合）又は３．３Ｖ（ノーマリブラックの場合）とすることができる。
【００８３】
また、切替手段としてのセレクタ１０ａには第２切替スイッチ１２が設けられており、この第２切替スイッチ１２がＯＮすることによって、非表示期間用データ書込信号ＰＶＩがデータ信号線駆動回路ＳＤに供給されるようになっている。この非表示期間用データ書込信号ＰＶＩは、本実施の形態では、多階調データ信号ＤＡＴ及び２値データ信号ＢＩＮＤＡＴが供給される配線に結合され、データ信号線駆動回路ＳＤへは１本の共通配線７で供給される。
【００８４】
また、本実施の形態では、図８（ａ）（ｂ）（ｃ）に示すように、多階調データ信号ＤＡＴをデータ信号線ＳＬに出力するときには、その多階調データ信号ＤＡＴを出力する周波数は速い周波数を使用しているが、２値データ信号ＢＩＮＤＡＴ又は非表示期間用データ書込信号ＰＶＩをデータ信号線ＳＬに出力するときには、それよりも遅い周波数を使用している。したがって、多階調データ信号ＤＡＴを出力する周波数と２値データ信号ＢＩＮＤＡＴ又は非表示期間用データ書込信号ＰＶＩを出力する周波数とは異なっている。なお、この制御は、図１に示すように、制御手段としての制御信号回路４が行っている。
【００８５】
これは、多階調データ信号ＤＡＴを表示するときには、動画等の動きの速い画像もあるので、速い周波数が必要である。しかし、多階調データ信号ＤＡＴの非表示期間には、一旦、２値データ信号又は非表示期間用データ書込信号ＰＶＩにて表示すれば、液晶表示装置１の液晶における電圧保持特性によりその表示がしばらく保持されるので、表示が消滅する前に再度印加すればよいためである、
このように、本実施の形態の液晶表示装置１の駆動装置６及び液晶表示装置１の駆動方法では、２値表示データ信号生成回路３０は、多階調データ信号ＤＡＴによる非表示期間内に、データ信号線ＳＬに出力するための一定電圧の非表示期間用データ書込信号ＰＶＩを生成する。また、セレクタ１０ａは、多階調画像表示データ信号による非表示期間内に非表示期間用データ書込電圧を供給するように各出力を切り替える。
【００８６】
したがって、多階調画像表示データ信号による非表示期間内である待機時に、例えば、白黒等の２値データ信号ＢＩＮＤＡＴの電圧又は一定の均一色表示時に印加する電圧、いわゆるベタ画像表示用電圧つまり非表示期間用データ書込信号ＰＶＩの電圧を印加することができる。
【００８７】
ところで、多階調データ信号ＤＡＴの使用時には画像変化が激しいので、速い周波数で出力する必要がある。しかし、多階調データ信号ＤＡＴによる非表示期間内である待機時における待機画面の変化は殆どない。このとき、画素２の電圧が保持される例えば液晶表示装置１においては、その画素２の保持電圧が自然消滅する前に再度電圧を印加すればよいので、２値データ信号ＢＩＮＤＡＴ又は非表示期間用データ書込信号ＰＶＩを散発的に出力すればよい。
【００８８】
そこで、本実施の形態の液晶表示装置１の駆動装置６及び液晶表示装置１の駆動方法では、制御信号回路４により、２値データ信号ＢＩＮＤＡＴ又は非表示期間用データ書込信号ＰＶＩを複数のデータ信号線ＳＬに出力するときには、多階調データ信号ＤＡＴよりも遅い周波数にて出力させる。
【００８９】
この結果、待機時において低消費電力化をさらに図り得る液晶表示装置１の駆動装置６及び液晶表示装置１の駆動方法を提供することができる。
【００９０】
また、本実施の形態の液晶表示装置１の駆動装置６及び液晶表示装置１の駆動方法では、２値表示データ信号生成回路３０にて生成される非表示期間用データ書込信号ＰＶＩは、多階調表示データ信号生成回路２０から供給される多階調データ信号ＤＡＴが画素２に十分に印加されるようにするための予備充電電圧に等しくすることができるようになっている。
【００９１】
したがって、非表示期間用データ書込信号ＰＶＩを、予備充電電圧として使用することができる。
【００９２】
また、本実施の形態の液晶表示装置１の駆動装置６及び液晶表示装置１の駆動方法では、２値表示データ信号生成回路３０にて生成される２値データ信号ＢＩＮＤＡＴの電圧又は非表示期間用データ書込信号ＰＶＩの電圧は、白表示時又は黒表示時に印加する電圧と同電位であるので、２値の一方を表示することができる。
【００９３】
また、本実施の形態の液晶表示装置１の駆動装置６及び液晶表示装置１の駆動方法では、２値表示データ信号生成回路３０にて生成される非表示期間用データ書込信号ＰＶＩの電圧は、一定の均一色表示時に印加する電圧と同電位であるので、例えば、白黒ではない中間色のいわゆるベタ画像表示を行うことができる。したがって、均一の背景画面とすることができる。
【００９４】
また、本実施の形態の液晶表示装置１の駆動装置６及び液晶表示装置１の駆動方法では、データ信号線駆動回路ＳＤが多階調データ信号ＤＡＴ又は非表示期間用データ書込信号ＰＶＩを複数のデータ信号線ＳＬに出力するときに、多階調画像表示データ信号を出力するときの周波数と２値画像表示データ信号又は一定の均一色表示時に印加する電圧信号を出力するときの周波数とが異なっているので、前述のように、待機時には、２値データ信号ＢＩＮＤＡＴ又は非表示期間用データ書込信号ＰＶＩの周波数を遅くすることができる。これにより、待機時の消費電力低減を図ることができる。一方、ミクロ的に画素への印加電圧の立ち上がり時又は立下り時を考えた場合には、待機時においてもその部分的において周波数を多階調データ信号ＤＡＴよりも速くした方が小消費電力になる場合がある。
【００９５】
また、本実施の形態の液晶表示装置１は、上記の駆動装置６を備えているので、待機時において低消費電力化を図り得る液晶表示装置１を提供することができる。
【００９６】
〔実施の形態３〕
本発明の他の実施の形態について図９及び図１０に基づいて説明すれば、以下の通りである。なお、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００９７】
前記実施の形態１及び実施の形態２では、例えば、図１に示すように、セレクタ１０又はセレクタ１０ａからの配線は、共通配線７として１本の配線にてデータ信号線駆動回路ＳＤに供給されていたが、必ずしもこれに限らない。
【００９８】
すなわち、本実施の形態では、図９に示すように、多階調データ信号ＤＡＴ及び２値データ信号ＢＩＮＤＡＴをデータ信号線駆動回路ＳＤに供給する第１配線７ａと、一定の均一色表示時に印加する電圧又は予備充電電圧からなる非表示期間用データ書込信号ＰＶＩをデータ信号線駆動回路ＳＤに供給する第２配線７ｂとの２つの配線によって、各信号が、データ信号線駆動回路ＳＤのサンプリング回路ＳＡＭＰに供給されるようになっている。
【００９９】
このサンプリング回路ＳＡＭＰには、データ作成部ＬＣＤＣから、別途、非表示期間用データ書込信号ＰＶＩを選択するための選択用信号ＰＣＬＴが供給されている。したがって、多階調データ信号ＤＡＴ及び２値データ信号ＢＩＮＤＡＴについては、データ信号線駆動回路ＳＤのシフトレジスタＳＲからの前記フリップフロップ回路ＦＦによって選択されて、データ信号線ＳＬに出力される。また、非表示期間用データ書込信号ＰＶＩについては、上記選択用信号ＰＣＬＴによって選択されて、データ信号線ＳＬに出力される。
【０１００】
ここで、上記のデータ作成部ＬＣＤＣは、前記図１に示す制御信号回路４、セレクタ１０、多階調表示データ信号生成回路２０、及び２値表示データ信号生成回路３０からなっているものである。
【０１０１】
上記セレクタ１０ａからの出力は、本実施の形態では、上述のように、２系統にてデータ信号線駆動回路ＳＤに供給される。このため、図１０に示すように、セレクタ１０ａからは、多階調データ信号ＤＡＴ及び２値データ信号ＢＩＮＤＡＴと非表示期間用データ書込信号ＰＶＩとの２つの第１配線７ａ及び第２配線７ｂが出力されている。
【０１０２】
このように、本実施の形態の液晶表示装置１の駆動装置６及び液晶表示装置１の駆動方法では、セレクタ１０ａから第１配線７ａと第２配線７ｂとによって、多階調データ信号ＤＡＴ及び２値データ信号ＢＩＮＤＡＴ又は非表示期間用データ書込信号ＰＶＩがデータ信号線駆動回路ＳＤに供給される。
【０１０３】
したがって、必ずしも共通配線７を使用しないでも、データ信号線駆動回路ＳＤに多階調データ信号ＤＡＴ及び２値データ信号ＢＩＮＤＡＴ又は非表示期間用データ書込信号ＰＶＩを供給することができる。
【０１０４】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０５】
本発明の表示装置及びその駆動方法は、アクティブマトリクス型の液晶表示装置の駆動装置、液晶表示装置の駆動方法、及び液晶表示装置に用いることができ、特に、携帯電話、ＰＤＡを代表とする携帯情報ツールへの適用が好ましい。
【図面の簡単な説明】
【０１０６】
【図１】本発明における液晶表示装置の実施の一形態を示すブロック図である。
【図２】上記液晶表示装置における画素の構成を示すブロック図である。
【図３】上記液晶表示装置におけるセレクタの構成を示すブロック図である。
【図４】上記液晶表示装置における点順次駆動方式のデータ信号線駆動回路の構成を示すブロック図である。
【図５】上記液晶表示装置における線順次駆動方式のデータ信号線駆動回路の構成を示すブロック図である。
【図６】上記液晶表示装置における走査信号線駆動回路の構成を示すブロック図である。
【図７】本発明における液晶表示装置の他の実施の形態を示すものであり、セレクタの構成を示すブロック図である。
【図８】（ａ）（ｂ）（ｃ）は、上記液晶表示装置の駆動方法を示すタイミングチャートである。
【図９】本発明における液晶表示装置のさらに他の実施の形態を示すものであり、液晶表示装置の構成を示すブロック図である。
【図１０】上記液晶表示装置におけるセレクタの構成を示すブロック図である。
【図１１】従来の液晶表示装置の構成を示すブロック図である。
【図１２】従来の他の液晶表示装置の構成を示すブロック図である。
【符号の説明】
【０１０７】
１          液晶表示装置（表示装置）
２          画素
３          表示部
４          制御信号回路（制御手段）
７          共通配線
１０          セレクタ（切替手段）
１０ａ        セレクタ（切替手段）
１１          第１切替スイッチ
１２          第２切替スイッチ
２０          多階調表示データ信号生成回路
３０          ２値表示データ信号生成回路
３１          切替スイッチ
ＢＩＮＤＡＴ  ２値データ信号（２値画像表示データ信号）
ＤＡＴ        多階調データ信号（多階調画像表示データ信号）
ＧＤ          走査信号線駆動回路
ＧＬ          走査信号線
ＰＶＩ        非表示期間用データ書込信号
ＳＤ          データ信号線駆動回路
ＳＬ          データ信号線
【図１】
2005227627.tif 000003
【図２】
2005227627.tif 000004
【図３】
2005227627.tif 000005
【図４】
2005227627.tif 000006
【図５】
2005227627.tif 000007
【図６】
2005227627.tif 000008
【図７】
2005227627.tif 000009
【図８】
2005227627.tif 000010
【図９】
2005227627.tif 000011
【図１０】
2005227627.tif 000012
【図１１】
2005227627.tif 000013
【図１２】
2005227627.tif 000014